【手続補正書】
【提出日】平成18年7月14日(2006.7.14)
【手続補正１】
【補正対象書類名】明細書
【補正対象項目名】特許請求の範囲
【補正方法】変更
【補正の内容】
【特許請求の範囲】
【請求項１】  送信対象とする送信データと当該送信データの識別を示す識別情報とを送信データ領域に配置し、
上記送信データの宛先からなる宛先情報を宛先情報領域に配置し、
上記送信データ領域と宛先情報領域とを選択呼出部に配置し、
上記選択呼出部に上記送信データ及び上記宛先情報を読み出すための同期情報を付加してなるグループをデータ送信サイクルとして繰り返し送信することを特徴とするデータ送信方法。
【請求項２】  上記宛先情報は、データ受信端末が自己宛に送信されてくる送信データの受信に用いる当該データ受信端末固有の識別情報とされて、その種類が物理的に制限されてなるのに対して、上記送信データを示す識別情報はその種類が何ら制限のない情報からなることを特徴とする請求の範囲第１項記載のデータ送信方法。
【請求項３】  上記識別情報は、属性の異なる複数種類の情報が配置されてなることを特徴とする請求の範囲第１項記載のデータ送信方法。
【請求項４】  上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされること
を特徴とする請求の範囲第１項記載のデータ送信方法。
【請求項５】  送信対象とする送信データが配置される送信データ領域と当該送信データの宛先を示す宛先情報が配置される宛先情報領域とからなる選択呼出部と、当該送信データ及び宛先情報を読み出すための同期情報とを有するグループをデータ送信サイクルとして繰り返して送信データの送信処理をするデータ送信装置であって、
上記送信データ領域に当該送信データ領域に配置される送信データの識別を示す識別情報を配置する識別情報配置手段と、
上記データ送信サイクルとして上記送信データの送信処理をする送信処理手段とを備えることを特徴とするデータ送信装置。
【請求項６】  上記宛先情報は、データ受信端末が自己宛に送信されてくる送信データの受信に用いる当該データ受信端末固有の識別情報とされて、その種類が物理的に制限されてなるのに対して、上記送信データを示す識別情報はその種類が何ら制限のない情報からなること
を特徴とする請求の範囲第５項記載のデータ送信装置。
【請求項７】  上記識別情報は、属性の異なる複数種類の情報が配置されてなることを特徴とする請求の範囲第５項記載のデータ送信装置。
【請求項８】  上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされること
を特徴とする請求の範囲第５項記載のデータ送信装置。
【請求項９】  送信対象とする送信データ及び当該送信データの識別を示す識別情報が配置される送信データ領域と当該送信データの宛先を示す宛先情報が配置される宛先情報領域とからなる選択呼出部と、当該送信データ及び宛先情報を読み出すための同期情報とを有するグループがデータ送信サイクルとして繰り返されて送信されるデータ受信装置であって、
宛先情報を設定する宛先情報設定手段と、
識別情報を設定する識別情報設定手段と、
自己の属する上記グループ内に配置されている情報を得るために、同期情報に基づいて上記グループの同期をとる同期手段と、
上記選択呼出部に配置されている宛先情報と、上記宛先情報設定手段により設定された宛先情報とを比較して宛先情報比較結果を得る宛先情報比較手段と、
上記送信データ領域に配置されている識別情報と、上記識別情報設定手段により設定された識別情報とを比較して識別情報比較結果を得る識別情報比較手段と、
上記宛先情報比較結果及び上記識別情報比較結果に基づいて上記送信データの受信制御を行う受信制御手段とを備えることを特徴とするデータ受信装置。
【請求項１０】  上記受信制御手段が上記宛先情報比較結果に基づいてのみ送信データの受信制御を行う旨を設定する受信制御設定手段を備えることを特徴とする請求の範囲第９項記載のデータ受信装置。
【請求項１１】  上記宛先情報は、自己宛に送信されてくる送信データの受信に用いる当該データ受信端末固有の識別情報とされて、その種類が物理的に制限されてなるのに対して、上記送信データを示す識別情報はその種類が何ら制限のない情報からなることを特徴とする請求の範囲第９項記載のデータ受信装置。
【請求項１２】  上記識別情報は、属性の異なる複数種類の情報が配置されてなることを特徴とする請求の範囲第９項記載のデータ受信装置。
【請求項１３】  上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされることを特徴とする請求の範囲第９項記載のデータ受信装置。
【請求項１４】  上記送信されるデータはビデオゲームに使用されるデータであり、また、上記識別情報設定手段によって設定される上記識別情報は、ビデオゲームの進行段階に応じて設定されることを特徴とする請求の範囲第９項記載のデータ受信装置。
【請求項１５】  送信対象とする送信データ及び当該送信データの識別を示す識別情報が配置される送信データ領域と当該送信データの宛先を示す宛先情報が配置される宛先情報領域とからなる選択呼出部と、当該送信データ及び宛先情報を読み出すための同期情報とを有するグループがデータ送信サイクルとして繰り返されてくる送信されるデータを受信するデータ受信方法であって、
自己の属する上記グループ内に配置されている情報を得るために、同期情報に基づいて上記グループの同期をとる同期工程と、
上記選択呼出部に配置されている宛先情報と、予め設定された宛先情報とを比較して宛先情報比較結果を得る宛先情報比較工程と、
上記送信データ領域に配置されている識別情報と、予め設定された識別情報とを比較して識別情報比較結果を得る識別情報比較工程と、
上記宛先情報比較結果及び上記識別情報比較結果に基づいて上記送信データの受信制御を行う受信制御工程とを有することを特徴とするデータ受信方法。
【請求項１６】  上記受信制御工程において上記宛先情報比較結果に基づいてのみ送信データの受信制御を行う旨を設定する受信制御設定工程を有することを特徴とする請求の範囲第１５項記載のデータ受信方法。
【請求項１７】  上記宛先情報は、自己宛に送信されてくる送信データの受信に用いる当該データ受信端末固有の識別情報とされて、その種類が物理的に制限されてなるのに対して、上記送信データを示す識別情報はその種類が何ら制限のない情報からなることを特徴とする請求の範囲第１５項記載のデータ受信方法。
【請求項１８】  上記識別情報は、属性の異なる複数種類の情報が配置されてなることを特徴とする請求の範囲第１５項記載のデータ受信方法。
【請求項１９】  上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされること
を特徴とする請求の範囲第１５項記載のデータ受信方法。
【請求項２０】  上記送信されるデータはビデオゲームに使用されるデータであり、また、上記予め設定された識別情報は、ビデオゲームの進行段階に応じて予め設定されることを特徴とする請求の範囲第１５項記載のデータ受信方法。
【請求項２１】  送信対象とする送信データが配置される送信データ領域と当該送信データの宛先を示す宛先情報が配置される宛先情報領域とからなる選択呼出部と、当該送信データ及び宛先情報を読み出すための同期情報とを有するグループを、データ送信装置とデータ受信装置との間でデータ送信サイクルとして繰り返し送受信処理をするデータ送受信システムであって、
上記データ送信装置は、上記送信データ領域に当該送信データ領域に配置される送信データの識別を示す識別情報を配置する識別情報配置手段と、上記データ送信サイクルとして上記送信データの送信処理をする送信処理手段とを備え、
上記データ受信装置は、宛先情報を設定する宛先情報設定手段と、識別情報を設定する識別情報設定手段と、自己の属する上記グループ内に配置されている情報を得るために、同期情報に基づいて上記グループの同期をとる同期手段と、上記選択呼出部に配置されている宛先情報と、上記宛先情報設定手段により設定された宛先情報とを比較して宛先情報比較結果を得る宛先情報比較手段と、上記送信データ領域に配置されている識別情報と、上記識別情報設定手段により設定された識別情報とを比較して識別情報比較結果を得る宛先情報比較手段と、上記宛先情報比較結果及び上記識別情報比較結果に基づいて上記送信データの受信制御を行う受信制御手段とを備えることを特徴とするデータ送受信システム。
【請求項２２】  上記受信制御手段が上記宛先情報比較結果に基づいてのみ送信データの受信制御を行う旨を設定する受信制御設定手段を備えることを特徴とする請求の範囲第２１項記載のデータ送受信システム。
【請求項２３】  上記宛先情報は、上記データ受信装置が自己宛に送信されてくる送信データの受信に用いる当該データ受信端末固有の識別情報とされて、その種類が物理的に制限されてなるのに対して、上記送信データを示す識別情報はその種類が何ら制限のない情報からなること
を特徴とする請求の範囲第２１項記載のデータ送受信システム。
【請求項２４】  上記識別情報は、属性の異なる複数種類の情報が配置されてなることを特徴とする請求の範囲第２１項記載のデータ送受信システム。
【請求項２５】  上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされることを特徴とする請求の範囲第２１項記載のデータ送受信システム。
【請求項２６】  上記データ送信装置から送信されるデータはビデオゲームに使用されるデータであり、また、上記識別情報設定手段によって設定される上記識別情報は、ビデオゲームの進行段階に応じて設定されることを特徴とする請求の範囲第２１項記載のデータ送受信システム。
【手続補正２】
【補正対象書類名】明細書
【補正対象項目名】０００２４
【補正方法】変更
【補正の内容】
【０００２４】
即ち、このデータ受信装置は、送信されてくる送信データを、当該送信データに付加されている宛先情報及び識別情報に基づいて受信する。また、送信されるデータはビデオゲームに使用されるデータであり、識別情報設定手段によって設定される識別情報は、ビデオゲームの進行段階に応じて設定することができる。
【手続補正３】
【補正対象書類名】明細書
【補正対象項目名】００２７
【補正方法】変更
【補正の内容】
【００２７】
即ち、このデータ受信方法は、送信されてくる送信データを、当該送信データに付加されている宛先情報及び識別情報に基づいて受信する。また、送信されるデータはビデオゲームに使用されるデータであり、予め設定された識別情報は、ビデオゲームの進行段階に応じて予め設定することができる。
【手続補正４】
【補正対象書類名】明細書
【補正対象項目名】００３０
【補正方法】変更
【補正の内容】
【００３０】
即ち、データ送受信システムは、データ送信装置により、送信データに当該送信データの宛先情報の他に識別情報を付加して送信している。そして、データ受信装置により、送信されてくる送信データを、当該送信データに付加されている宛先情報及び識別情報に基づいて受信する。また、データ送信装置から送信されるデータはビデオゲームに使用されるデータであり、識別情報設定手段によって設定される識別情報は、ビデオゲームの進行段階に応じて設定することができる。
【手続補正５】
【補正対象書類名】明細書
【補正対象項目名】００４７
【補正方法】変更
【補正の内容】
【００４７】
例えば、各選択呼出信号２０３，２０４は、その内容が３１ｂｉｔ単位とされて、合計で１５５ｂｉｔとして構成される。具体的には、各選択呼出信号は、アドレス信号を６２ｂｉｔ、ｓｕｂＩＤ１０１を８ｂｉｔ、メッセージ信号を８５ｂｉｔで表現している。